(57)【要約】      （修正有）【課題】タイプの異なる各種プラグに変更可能なプラグ変換アダプタを提供する。【解決手段】着脱凹部１１と、着脱凹部の両側に形成される開口１２と、着脱凹部の他の両側に形成される位置決め部と、位置決め部に開口と連通するように設けられる摺動軌道１４とを備えるケース１０と、ケースに設置され、電源回路基板と、電源回路基板と電気接続される２本の接続端子と、一端が電源回路基板に電気接続されると共に、他端がケースを通って外部に延出するケーブル２３とを備える電源変換部材と、ケースの着脱凹部に着脱可能に取り付けられ、ヘッド部３１及びヘッド部に貫設される２本の端子３２を備え、各端子の上端に当接端が設けられるプラグ３０と、を有し、プラグの当接端を、開口と対応するように着脱凹部に挿し込んで摺動軌道に沿って位置決め部に嵌め込むことにより、当接端を電源変換部材の接続端子と接触させて電気接続する。【選択図】図２
0003187143.tif 000002
【実用新案登録請求の範囲】
【請求項１】
底部に形成される着脱凹部と、該着脱凹部の対向する両側にそれぞれ形成される開口と、該着脱凹部の対向する他の両側にそれぞれ形成される位置決め部と、該位置決め部に開口と連通するように設けられる摺動軌道とを備えるケースと、
前記ケースに設置され、電源回路基板と、それぞれが前記位置決め部に位置するように、該電源回路基板と電気接続される２本の接続端子と、一端が該電源回路基板に電気接続されると共に、他端が前記ケースを通って外部に延出するケーブルとを備える電源変換部材と、
前記ケースの着脱凹部に着脱可能に取り付けられると共に、ヘッド部及び該ヘッド部に貫設される２本の端子を備え、該各端子の上端に当接端が設けられるプラグと、を有し、
前記プラグの当接端を、開口と対応するように着脱凹部に挿し込んで摺動軌道に沿って位置決め部に嵌め込むことにより、該当接端を前記電源変換部材の接続端子と接触させて電気接続することを特徴とするプラグ変換アダプタ。
【請求項２】
前記ヘッド部に２つの耳部が相対するように設けられ、該耳部の底面から前記端子の当接端が突出することを特徴とする請求項１に記載のプラグ変換アダプタ。
【請求項３】
前記位置決め部に凸部が設けられ、
前記耳部における、該凸部と対応する箇所に係合凹部が形成されることを特徴とする請求項２に記載のプラグ変換アダプタ。
【請求項４】
前記接続端子は、一端がケースの内部に、他端が位置決め部に位置するように着脱凹部に嵌設されることを特徴とする請求項1乃至３の何れか１項に記載のプラグ変換アダプタ。
【請求項５】
前記接続端子の位置決め部に位置する他端にさらに、タブが延設されることを特徴とする請求項４に記載のプラグ変換アダプタ。
【請求項６】
前記摺動軌道には、断面がＬ字形を呈するように、縦壁及び横壁が設けられ、
前記プラグの当接端が摺動軌道の横壁に沿って位置決め部に嵌り込むことを特徴とする請求項１乃至３の何れか１項に記載のプラグ変換アダプタ。
【請求項７】
前記摺動軌道には、断面がＬ字形を呈するように、縦壁及び横壁が設けられ、
前記プラグの当接端が摺動軌道の横壁に沿って位置決め部に嵌り込むことを特徴とする請求項４に記載のプラグ変換アダプタ。
【請求項８】
前記摺動軌道には、断面がＬ字形を呈するように、縦壁及び横壁が設けられ、
前記プラグの当接端が摺動軌道の横壁に沿って位置決め部に嵌り込むことを特徴とする請求項５に記載のプラグ変換アダプタ。
【請求項９】
前記プラグのヘッド部にさらに、アース端子が貫設されることを特徴とする請求項１乃至３の何れか１項に記載のプラグ変換アダプタ。
【請求項１０】
前記プラグのヘッド部にさらに、アース端子が貫設されることを特徴とする請求項８に記載のプラグ変換アダプタ。
【請求項１１】
前記ケースは、互いに組み合わされるカバー及びベースを有することを特徴とする請求項1乃至３の何れか１項に記載のプラグ変換アダプタ。
【請求項１２】
前記ケースは、互いに組み合わされるカバー及びベースを有することを特徴とする請求項１０に記載のプラグ変換アダプタ。
【考案の詳細な説明】
【技術分野】
【０００１】
本考案は、特に異なる形状のプラグに変更することができるプラグ変換アダプタに関するものである。
【背景技術】
【０００２】
現在、電子製品の発展が積極に推進されると共に、新たな機能を有する様々な電子製品が開発され、特に携帯可能な電子製品、、例えば、小型で軽量のＭＰ３や、携帯電話、パネルコンピュータ、ノートパソコンなどは軽くて利便性が高く、携帯しやすいので、非常に好評を博している。
【０００３】
また、それらの電子製品にはバッテリにより電力を提供することができるが、バッテリの電力はそう長くは持たないことから、充電器を用いて頻繁に充電する必要があるので、電子製品の他に、充電器の電源プラグも用意しなければならない。また、外国において用いられているコンセントや電源プラグには、ＡタイプからＮタイプまで（ｔｙｐｅ  Ａ〜ｔｙｐｅ  Ｎ）約１４種類もあり、国によって異なるタイプ、例えば、米国ではＡタイプとＢタイプを、ヨーロッパのフランスではＥタイプを、ドイツではＦタイプを採用している。
【考案の概要】
【考案が解決しようとする課題】
【０００４】
このように、国によってタイプの異なるコンセントやプラグを採用しているので、海外旅行や海外出張の場合、それらの国に合ったプラグを用意しなければならないので、非常に不便であった。
【課題を解決するための手段】
【０００５】
本考案に係るプラグ変換アダプタは、底部に形成される着脱凹部と、該着脱凹部の対向する両側にそれぞれ形成される開口と、該着脱凹部の対向する他の両側にそれぞれ形成される位置決め部と、該位置決め部に開口と連通するように設けられる摺動軌道とを備えるケースと、
前記ケースに設置され、電源回路基板と、それぞれが前記位置決め部に位置するように、該電源回路基板と電気接続される２本の接続端子と、一端が該電源回路基板に電気接続されると共に、他端が前記ケースを通って外部に延出するケーブルとを備える電源変換部材と、
前記ケースの着脱凹部に着脱可能に取り付けられると共に、ヘッド部及び該ヘッド部に貫設される２本の端子を備え、該各端子の上端に当接端が設けられるプラグと、を有し、
前記プラグの当接端を、開口と対応するように着脱凹部に挿し込んで摺動軌道に沿って位置決め部に嵌め込むことにより、該当接端を前記電源変換部材の接続端子と接触させて電気接続するものである。
【０００６】
かかるプラグ変換アダプタにおいて、前記ヘッド部に２つの耳部が相対するように設けられ、該耳部の底面から前記端子の当接端が突出することが好ましい。
【０００７】
かかるプラグ変換アダプタにおいて、前記位置決め部に凸部が設けられ、
前記耳部における、該凸部と対応する箇所に係合凹部が形成されることが好ましい。
【０００８】
かかるプラグ変換アダプタにおいて、前記接続端子は、一端がケースの内部に、他端が位置決め部に位置するように着脱凹部に嵌設されることが好ましい。
【０００９】
かかるプラグ変換アダプタにおいて、前記接続端子の位置決め部に位置する他端にさらに、タブが延設されることが好ましい。
【００１０】
かかるプラグ変換アダプタにおいて、前記摺動軌道には、断面がＬ字形を呈するように、縦壁及び横壁が設けられ、
前記プラグの当接端が摺動軌道の横壁に沿って位置決め部に嵌り込むことが好ましい。
【００１１】
かかるプラグ変換アダプタにおいて、前記プラグのヘッド部にさらに、アース端子が貫設されることが好ましい。
【００１２】
かかるプラグ変換アダプタにおいて、前記ケースは、互いに組み合わされるカバー及びベースを有することが好ましい。
【考案の効果】
【００１３】
本考案のプラグ変換アダプタは上記の構成を有することから、外国においてタイプの異なるコンセントがあっても、プラグを簡単に変更することができる。故に、旅行や出張の時にわざわざ、異なる形状の電源プラグをそれぞれ用意する必要がないので、非常に利便性が高く、実用的である。
【００１４】
さらに、本考案に係るプラグ変換アダプタにプラグを取り付ける時、プラグをケースの着脱凹部に差し込んで回転させると、端子の当接端が電源変換部材の接続端子と接触しながら電気接続するので、プラグの装着が非常に簡単である。一方、プラグを取り外す時は、プラグを逆方向に回転させて着脱凹部から取り外すだけでよいので、使用上の利便性が高い。
【図面の簡単な説明】
【００１５】
【図１】本考案に係るプラグ変換アダプタの第一実施例の斜視図である。
【図２】本考案に係るプラグ変換アダプタの第一実施例の部分分解斜視図である。
【図３Ａ】本考案に係るプラグ変換アダプタの第二実施例のプラグを示す斜視図である。
【図３Ｂ】本考案に係るプラグ変換アダプタの第三実施例のプラグを示す斜視図である。
【図３Ｃ】本考案に係るプラグ変換アダプタの第四実施例のプラグを示す斜視図である。
【図４】本考案に係るプラグ変換アダプタの第一実施例の分解斜視図である。
【図５】図４のＡ-Ａ線の部分拡大断面図である。
【図６】本考案に係るプラグ変換アダプタの第一実施例において、プラグの耳部をケースに挿し込んだ状態を示す部分拡大正面図である。
【図７】図６のプラグを回転させて耳部が位置決め部に嵌り込んだ状態を示す部分拡大正面図である。
【図８】本考案に係るプラグ変換アダプタの第一実施例において、プラグの耳部をケースに挿し込んだ状態を示す部分断面図である。
【図９】本考案に係るプラグ変換アダプタの第一実施例におけるプラグの断面図である。
【図１０】本考案に係るプラグ変換アダプタの第一実施例において、位置決め部の凸部が耳部の係合凹部に係合された状態を示す部分断面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図４に示すように、本考案に係るプラグ変換アダプタは、ケース１０と、電源変換部材２０と、プラグ３０、３０Ａ、３０Ｂ、３０Ｃとを有する。
【００１８】
図１、図２、図４及び図５に示すように、本考案における第一実施例のケース１０は、カバー１０１及びベース１０２を含み、該カバー１０１はベース１０２に組み合わされ、該ベース１０２の底部に着脱凹部１１が形成され、該ベース１０２における、着脱凹部１１の対向する両側にそれぞれ開口１２が形成されると共に、該ベース１０２における、着脱凹部１１の対向する他の両側にそれぞれ位置決め部１３が形成され、該位置決め部１３に開口１２と連通する摺動軌道１４が設けられ、また、該位置決め部１３に凸部１３１が設けられ、該摺動軌道１４は、着脱凹部１１の壁に沿って設けられ、断面がＬ字形を呈する、縦壁１４１及び横壁１４２を有する（図４、図６、図８の如く）。
【００１９】
前記電源変換部材２０は、ケース１０のカバー１０１とベース１０２との間に設置され、電源回路基板２１と、２本の接続端子２２と、１本のケーブル２３とを備え、その内、該接続端子２２はそれぞれ、着脱凹部１１の対向する両側に嵌設されることにより電源回路基板２１と電気接続され、一方、該ケーブル２３の一端が電源回路基板２１に電気接続されると共に、他端がケース１０を通って外部に延出する。
【００２０】
前記接続端子２２は、Ｌ字形を呈し、接続端２２１及び接触端２２２を備え、その内、接続端２２１は、前記ケース１０の内部に位置すると共に、該ケース１０の電源回路基板２１と電気接続することによってケーブル２３と電気接続され、一方、該接触端２２２は、位置決め部１３に位置すると共に、先端にタブが横方向に延設される。
【００２１】
前記プラグ３０は、ケース１０の着脱凹部１１に着脱可能に取り付けられ、ヘッド部３１と、２本の端子３２と、２つの耳部３３とを備え、その内、端子３２はそれぞれヘッド部３１に貫設されると共に、その上端に当接端３２１が設けられ、該耳部３３はそれぞれ、Ｌ字形の断面を呈すると共に、該ヘッド部３１の上面に相対するように設けられ、その底面に係合凹部３３１が形成され、底面内部に孔が形成され、該端子３２の当接端３２１は、この孔から突出するように設置される（図９の如く）。
【００２２】
図３Ａ乃至図３Ｃに示すように、本考案に係るプラグ変換アダプタにおいては、プラグに２本或いは３本の端子を設けてもよく、端子のタイプが異なってもよい。例えば、図３Ａに示すように、第二実施例のプラグ３０Ａのヘッド部３１Ａに２本の端子３２Ａが互いに平行に貫設され、または、図３Ｂに示すように、第三実施例のプラグ３０Ｂのヘッド部３１Ｂに２本の端子３２Ｂがやや斜めに対向するように貫設され、または、図３Ｃに示すように、第四実施例のプラグ３０Ｃのヘッド部３１Ｃに２本の端子３２Ｃが配置されると共に、ヘッド部３１Ｃにさらに接地するためのアース端子３４Ｃが貫設されてもよい。
【００２３】
図６〜図８及び図１０に示すように、本考案に係るプラグ変換アダプタを使用する時は、使用するコンセントに応じたプラグ３０を選択し、そのプラグ３０の耳部３３をケース１０の開口１２と対応するように着脱凹部１１に挿し込み、プラグ３０を回転させて耳部３３を摺動軌道１４に沿って位置決め部１３に嵌め込むと、この同時、端子３２の当接端３２１も摺動軌道１４の横壁１４２に沿って位置決め部１３に嵌め込むことから、該当接端３２１が電源変換部材２０の接続端子２２と接触しながら電気接続すると共に、耳部３３の係合凹部３３１が位置決め部１３の凸部１３１と対応するように係合され、更に、プラグ３０をケース１０の着脱凹部１１に取り付ければ完成である。
【００２４】
一方、本考案に係るプラグ変換アダプタにおいてプラグ３０を変更する場合には、プラグ３０を逆方向に回転させて耳部３３を摺動軌道１４に沿って開口１２に向かって戻して、耳部３３の係合凹部３３１を位置決め部１３の凸部１３１から離すと共に、端子３２の当接端３２１を電源変換部材２０の接続端子２２から外し、その後、プラグ３０をケース１０の着脱凹部１１から取り外せば、タイプの異なる他のプラグに変更可能となる。
【符号の説明】
【００２５】
１０ ケース
１０１ カバー
１０２ ベース
１１ 着脱凹部
１２ 開口
１３ 位置決め部
１３１ 凸部
１４ 摺動軌道
１４１ 縦壁
１４２ 横壁
２０ 電源変換部材
２１ 電源回路基板
２２ 接続端子
２２１ 接続端
２２２ 接触端
２３ ケーブル
３０、３０Ａ、３０Ｂ、３０Ｃ プラグ
３１、３１Ａ、３１Ｂ、３１Ｃ ヘッド部
３２、３２Ａ、３２Ｂ、３２Ｃ 端子
３２１ 当接端
３３ 耳部
３３１ 係合凹部
３４Ｃ アース端子
【図１】
0003187143.tif 000003
【図２】
0003187143.tif 000004
【図３Ａ】
0003187143.tif 000005
【図３Ｂ】
0003187143.tif 000006
【図３Ｃ】
0003187143.tif 000007
【図４】
0003187143.tif 000008
【図５】
0003187143.tif 000009
【図６】
0003187143.tif 000010
【図７】
0003187143.tif 000011
【図８】
0003187143.tif 000012
【図９】
0003187143.tif 000013
【図１０】
0003187143.tif 000014